(57)【要約】【課題】錠箱のねじ溝を閉塞して錠前の安全性を向上させる。【解決手段】ねじ溝７を覆う大きさの本体部１２と、この本体部前端に突設され、先細りで幅がねじ溝のそれより小さい第１係止片１３と、この本体部の後端縁に一体かつ垂直に形成された第２係止片１４とを有し、本体部の前後方向の長さをねじ溝のそれとほぼ同一に設定すると共に、第１係止片１３を内側からビス孔１３を挿通させて外側に突出させ、本体部を天井板の内面に接合させた状態で、第２係止片１４が錠箱３のシリンダ筒挿通穴１６を貫通して錠箱内に嵌装されたシリンダ筒の取付ブロックに当接するように設定し、閉塞具を一方の錠箱側板のねじ孔と、他方の錠箱側板に嵌装されたシリンダ筒との間に跨がらせる。【選択図】　　　図８
2004052525.tif 000002
【特許請求の範囲】
【請求項１】
錠箱の天井板を幅方向に切り欠くねじ溝を覆う大きさの本体部と、この本体部前端に突設され、先細りで幅がねじ溝のそれより小さい第１係止片と、この本体部の後端縁に一体かつ垂直に形成された第２係止片とを有し、本体部の前後方向の長さをねじ溝のそれとほぼ同一に設定すると共に、第１係止片を内側からビス孔を挿通させて外側に突出させ、本体部を天井板の内面に接合させた状態で、第２係止片が錠箱の側面を貫通して錠箱内に嵌装されたシリンダ筒の取付ブロックに当接するように設定したことを特徴とする錠箱のねじ溝閉塞具。
【発明の詳細な説明】
【０００１】
【発明の属する技術分野】
この発明は、錠箱のねじ溝閉塞具（以下単に閉塞具という）に係り、特に、簡単な構造で容易に錠箱のねじ溝を閉塞することができ、錠前の安全性を向上させることができる閉塞具に関する。
【０００２】
【従来の技術】
シリンダ錠の扉への装着の態様は、例えば図１に示すように、シリンダ錠１を収納したカップ状のシリンダ筒２を、錠箱３の側板及び扉４を貫通させて扉面外に突出させ、その突出部分を化粧リング５で覆う構造である。
【０００３】
ちなみに、シリンダ筒２そのものは、その開口端縁部外周面に形成された取付ブロック１０、１０及び錠箱３を貫通する装着杆６、６を介して錠箱３に固定される。
【０００４】
しかして、或種の高級な扉においては、化粧リングの代りに、エスカチオン
（化粧座板：図示せず）を装着する場合がある。
【０００５】
このエスカチオンは、通常、縦長の板材で、表面に彫刻等の装飾が施されており、室内側から取付ビスで扉外面に呼びつけられるようにして装着される。
【０００６】
【発明が解決しようとする課題】
ところが、錠箱３の寸法及びエスカチオンの取付ビスの位置は事実上一定に定まっており、図２に示すように、取付ビスの位置は生憎錠箱３の上端を掠めるような位置にある。
【０００７】
そのため、図２に示すように、エスカチオンの取付ビスとの干渉を避けるため、錠箱３の天井板３ａにビス溝７を、錠箱の側板３ｂの上端にはビス孔８を夫々形成しなければならないが、これらビス溝７及びビス孔８は化粧リングを用いる扉用の錠箱には必要無いものである。
【０００８】
なお、図２においてはビス孔８は半円形であるが、取付ビスの位置に応じて矩形のビス孔もあるし、Ｕ字形のものもある。
【０００９】
しかしながら、同じ機構の錠箱でありながら取付ビス用のビス溝７及びビス孔８を形成したものとしないものとを別個に製造することは、コストの上昇の原因にもなるし、また、管理も困難になるので、化粧リングを装着する扉用の錠箱にもビス溝及びビス孔を形成している。
【００１０】
ところが、図１及び図２に示すように、このビス溝７及びビス孔８はデッドボルト等の錠止部材を操作するデッドカム９の近傍に開口しているので、特殊な形状をした針金の先端を、シリンダ筒２と扉４の開口との間の隙間を通して、上記ビス溝７から錠箱３内に挿入すると、これを引くことによりデッドボルトが引込むので、不正解錠が不可能ではなく、したがって錠前の防犯性が失われる、という不都合がある。
【００１１】
なお、この不正解錠の方法は、これを公表すると防犯上問題があるし、また、実用新案登録第３０８０８９９号に係る登録実用新案公報に記載されているので、ここではその記載を省略する。
【００１２】
この発明は、上記した錠箱のエスカチオン取付用のビス溝及びビス孔を閉塞する簡単な構造の閉塞具を提供することを目的としている。
【００１３】
【課題を解決するための手段】
上記の目的を達成するため、この発明は、錠箱の天井板を幅方向に切り欠くねじ溝を覆う大きさの本体部と、この本体部前端に突設され、先細りで幅がねじ溝のそれより小さい第１係止片と、この本体部の後端縁に一体かつ垂直に形成された第２係止片とを有し、本体部の前後方向の長さをねじ溝のそれとほぼ同一に設定すると共に、第１係止片を内側からビス孔を挿通させて外側に突出させ、本体部を天井板の内面に接合させた状態で、第２係止片が錠箱の側面を貫通して錠箱内に嵌装されたシリンダ筒の取付ブロックに当接するように設定したことを特徴とする。
【００１４】
【実施例】
以下、この発明の実施例を図面を参照して説明する。
図３乃至図５において符号１１はこの発明による閉塞具の全体を示し、この閉塞具１１はねじ溝７（図２及び図６参照）を覆うことができる大きさの、例えば矩形の本体部１２を備えている。
【００１５】
この本体部１２の前端縁（図３で上端縁）中央部には、例えば水平投影が山形などの先細りの形状で、幅がねじ溝７のそれより小さい第１係止片１３が一体に突設されている。
【００１６】
また、本体部１２の後端縁には、例えば矩形の第２係止片１４が一体かつ垂直に形成されている。
【００１７】
これら本体部１２、第１及び第２係止片１３、１４を有する閉塞具１１を製造する方法は種々考えることができるが、図示の実施例では、例えば薄くて細長いステンレス帯板を図４に示すように重合すると共に、断面がＬ字形になるように、また、第２係止片１４の断面が偏平な筒状になるようにプレス加工して閉塞具１１を成形している。
【００１８】
なお、上記したように第２係止片１４を少し膨らませるように成形する意義は、後述するようにシリンダ筒の取付ブロック１０（図１参照）によって閉塞具を固定するとき、その取付ブロック１０と第２係止片が良く滑って取付ブロックの挿入を円滑にするためである。
【００１９】
また、図示の実施例では、本体部１２の両側端縁に傾斜した袖板１５が一体に付設されているが、この袖板１５の機能は後に述べる。
【００２０】
上記のように構成されたこの発明の一実施例による閉塞具１１は、図６乃至図８に示すように、錠箱３を扉に装着する前に、第１係止片１３を先にして錠箱の側板３ｂに開口したシリンダ筒挿通穴１６に差込む。
【００２１】
ちなみに、扉の左右勝手に対応できるように、錠箱３の両側板には夫々対称的にシリンダ筒挿通穴１６が開口しているので、どちらの挿通穴１６から挿入してもよい。
【００２２】
そして、閉塞具の第１係止片１３を一方の側板のねじ孔８に錠箱内側から係合させ、これらの係合を案内として閉塞具１１を更に錠箱内に挿入する。
【００２３】
このとき、第１係止片１３がねじ孔８を探り易いように、第１係止片１３を少し傾斜させて形成するとよい（図４及び図８参照）。
【００２４】
図示の実施例における錠箱内には、図７及び図８に示すように、ねじ溝７の近傍に補強のための一対の支柱１７、１７が植設されているので、閉塞具１１をこれらの間に挿入するとき、前記袖板１５、１５が案内となって円滑に支柱間を通すことができる。
【００２５】
最終的には、本体部１２が錠箱の天井板に内側から接合し、本体部１２の前端縁が側板に接合するように錠箱内に差込む。
【００２６】
そのとき、図７に示すように、第２係止片１４の下端縁がシリンダ筒挿通穴１６の開口端縁の上部と整合する。
【００２７】
この状態で自由側端縁から錠箱３を扉内に挿入し、固定した後、扉の外面に開口した図示しない穴からシリンダ筒２を錠箱の側面に開口した上記シリンダ筒挿通穴１６に嵌装する。
【００２８】
すると、図７及び図８から明らかなように、閉塞具の第２係止片１４がシリンダ筒の取付ブロック１０の外面に当接するから、閉塞具１１は一方の錠箱側板のねじ孔８と、他方の錠箱側板に挿入されたシリンダ筒の取付ブロック１０との間に跨がった状態で、確りと錠箱内に装着される。
【００２９】
また、本体部の前後の端縁（第２係止片）は錠箱の側板の内面に当接しているから、閉塞具１１の水平面内における回動も阻止される。
【００３０】
このとき、図７から明らかなように、錠箱の一方の側板におけるねじ孔８は第２係止片１４によって閉塞されるが、他方のねじ孔には少し開口が残る（図８参照）。
【００３１】
しかしながら、この開口も第１係止片１３がひさしとなっているから、前記した針金を錠箱内に挿入することはできない。
【００３２】
【発明の効果】
以上の説明から明らかなように、この発明は、ねじ溝を覆う大きさの本体部と、この本体部前端に突設され、先細りで幅がねじ溝のそれより小さい第１係止片と、この本体部の後端縁に一体かつ垂直に形成された第２係止片とを有し、本体部の前後方向の長さをねじ溝のそれとほぼ同一に設定すると共に、第１係止片を内側からビス孔を挿通させて外側に突出させ、本体部を天井板の内面に接合させた状態で、第２係止片が錠箱の側面を貫通して錠箱内に嵌装されたシリンダ筒の取付ブロックに当接するように設定したから、閉塞具を一方の錠箱側板のねじ孔と、他方の錠箱側板に嵌装されたシリンダ筒との間に跨がるように確りと装着でき、ねじ溝を閉塞する、という所期の効果を奏する。
【００３３】
また、閉塞具を所定の姿勢で錠箱内に挿入するだけで装着でき、シリンダ筒との係合によって固定するようにしたので、装着が簡単でしかもねじ止め等の付加的な作業を必要としない、等種々の効果を奏する。
【図面の簡単な説明】
【図１】シリンダ錠の取付の一例を示す線図的断面図。
【図２】錠箱の構造の一例を示す側面図。
【図３】この発明の一実施例による閉塞具の平面図。
【図４】その一部断面側面図。
【図５】その背面図。
【図６】この発明の一実施例による閉塞具を装着した錠箱の平面図。
【図７】その一部断面側面図で、図面を明瞭にするため他の部材を省略して示す。
【図８】その一部断面背面図で、図面を明瞭にするため他の部材を省略して示す。
【符号の説明】
３　錠箱
３ａ　天井板
３ｂ　側板
７　ビス溝
８　ビス孔
１０　取付ブロック
１１　閉塞具
１２　本体部
１３　第１係止片
１４　第２係止片
１５　袖板
１６　シリンダ筒挿通穴
１７　支柱
【図１】
2004052525.tif 000003
【図２】
2004052525.tif 000004
【図３】
2004052525.tif 000005
【図４】
2004052525.tif 000006
【図５】
2004052525.tif 000007
【図６】
2004052525.tif 000008
【図７】
2004052525.tif 000009
【図８】
2004052525.tif 000010